(57)【特許請求の範囲】
【請求項１】
縁布１３、縁下シート２０、巻き込みシート２３及び接着剤層２４からなり、前記縁布１３は、幅方向の両側に畳縁の縁幅ｎより小さな縫代１３ｂを有し、前記縁下シート２０は、縁幅ｎの間隔で第１、第２、第３の３つの折り目２１ａ、２１ｂ、２１ｃを有し、前記巻き込みシート２３は、畳床１１の裏面まで巻き込む幅を有し、かつ、裏面に臨ませた内側に接着剤層２４を設け、前記第２の折り目２１ｂと第３の折り目２１ｃの間の表側に前記縁布１３を重ね、第２の折り目２１ｂの近くで縁布１３の縫代１３ｂと縁下シート２０とを一体に結合し、前記第３の折り目２１ｃの近くで縁布１３の縫代１３ｂと巻き込みシート２３と縁下シート２０とを一体に結合したことを特徴とする縁布部材。
【請求項２】
縁布１３、縁下シート２０、巻き込みシート２３及び接着剤層２４からなる縁布部材１９と、この縁布部材１９を取り付ける畳表１２とを具備し、前記縁布１３は、幅方向の両側に畳縁の縁幅ｎより小さな縫代１３ｂを有し、前記縁下シート２０は、縁幅ｎの間隔で第１、第２、第３の３つの折り目２１ａ、２１ｂ、２１ｃを有し、前記巻き込みシート２３は、畳床１１の裏面まで巻き込む幅を有し、かつ、裏面に臨ませた内側に接着剤層２４を設け、前記第２の折り目２１ｂと第３の折り目２１ｃの間の表側に前記縁布１３を重ね、前記第３の折り目２１ｃの近くで縁布１３の縫代１３ｂと縁下シート２０とに前記巻き込みシート２３の端部を重ね合わせて一体に結合し、前記第１の折り目２１ａを前記畳表１２の上前１５に合わせつつ、縁下シート２０の裏側が上になるようにして第２の折り目２１ｂの近くで縁布１３の縫代１３ｂと縁下シート２０とを一体に畳表１２に一体に結合したことを特徴とする縁布部材付き畳表。
【請求項３】
畳床１１の縁に合わせて畳表１２を被せ、畳床１１の両側に前記畳表１２の突出部分を巻き込み、接着剤層２４をもって畳床１１の下面に接着して固定する工程と、
前記畳表１２の畳床１１の縁に合わせた一方側において、請求項１記載の縁布部材１９を、畳表１２とともに畳床１１に固着する工程と、
前記縁布部材１９を第１、第２、第３の３つの折り目２１ａ、２１ｂ、２１ｃで折り込み、折り込まれた縁布部材１９の両端の巻き込み片２７を畳床１１の側面から下面に巻き込み、接着剤層２４をもって畳床１１の下面に接着して固定するとともに、縁布部材１９の巻き込みシート２３を畳床１１の側面から下面に巻き込み、接着剤層２４をもって畳床１１の下面に接着して固定する工程と、
畳床１１の他方側における畳表１２の突出部分を切除する工程と、
前記縁布部材１９と同一の縁布部材１９を、畳表１２とともに畳床１１に固着する工程と、
前記縁布部材１９を第１、第２、第３の３つの折り目２１ａ、２１ｂ、２１ｃで折り込み、折り込まれた縁布部材１９の両端の巻き込み片２７を畳床１１の側面から下面に巻き込み、接着剤層２４をもって畳床１１の下面に接着して固定するとともに、縁布部材１９の巻き込みシート２３を畳床１１の側面から下面に巻き込み、接着剤層２４をもって畳床１１の下面に接着して固定する工程と
からなることを特徴とする畳の張替え方法。
【請求項４】
畳床１１の縁に合わせて畳表１２を被せ、畳床１１の両側に前記畳表１２の突出部分を巻き込み、接着剤層２４をもって畳床１１の下面に接着して固定する工程と、
前記畳表１２の畳床１１の縁に合わせた一方側において、請求項１記載の縁布部材１９を、畳表１２とともに畳床１１に固着する工程と、
前記縁布部材１９の両端の巻き込みシート２３における畳表１２の両側の折込み線３３より外側を切り欠いて後方切り欠き部３１とするとともに、縁下シート２０の畳床１１の縁から突出した部分であって畳表１２の両側の折込み線３３より外側を３角形に切り欠いて前方切り欠き部３２を形成して巻き込み片２７とする工程と、
前記縁布部材１９を第１、第２、第３の３つの折り目２１ａ、２１ｂ、２１ｃで折り込み、折り込まれた縁布部材１９の両端の巻き込み片２７を畳床１１の側面から下面に巻き込み、接着剤層２４をもって畳床１１の下面に接着して固定するとともに、縁布部材１９の巻き込みシート２３を畳床１１の側面から下面に巻き込み、接着剤層２４をもって畳床１１の下面に接着して固定する工程と、
畳床１１の他方側における畳表１２の突出部分を切除する工程と、
前記縁布部材１９と同一の縁布部材１９を、畳表１２とともに畳床１１に固着する工程と、
前記縁布部材１９の両端の巻き込みシート２３における畳表１２の両側の折込み線３３より外側を切り欠いて後方切り欠き部３１とするとともに、縁下シート２０の畳床１１の縁から突出した部分であって畳表１２の両側の折込み線３３より外側を３角形に切り欠いて前方切り欠き部３２を形成して巻き込み片２７とする工程と、
前記縁布部材１９を第１、第２、第３の３つの折り目２１ａ、２１ｂ、２１ｃで折り込み、折り込まれた縁布部材１９の両端の巻き込み片２７を畳床１１の側面から下面に巻き込み、接着剤層２４をもって畳床１１の下面に接着して固定するとともに、縁布部材１９の巻き込みシート２３を畳床１１の側面から下面に巻き込み、接着剤層２４をもって畳床１１の下面に接着して固定する工程と
からなることを特徴とする畳の張替え方法。
【請求項５】
畳床１１の縁に合わせて請求項２記載の縁布部材付き畳表を被せ、畳床１１の両側に前記畳表１２の突出部分を巻き込み、接着剤層２４をもって畳床１１の下面に接着して固定する工程と、
前記畳表１２の畳床１１の縁に合わせた一方側において、前記畳表に取り付けられた縁布部材１９を、畳表１２とともに畳床１１に固着する工程と、
前記縁布部材１９を第１、第２、第３の３つの折り目２１ａ、２１ｂ、２１ｃで折り込み、折り込まれた縁布部材１９の両端の巻き込み片２７を畳床１１の側面から下面に巻き込み、接着剤層２４をもって畳床１１の下面に接着して固定するとともに、縁布部材１９の巻き込みシート２３を畳床１１の側面から下面に巻き込み、接着剤層２４をもって畳床１１の下面に接着して固定する工程と、
畳床１１の他方側における畳表１２の突出部分を切除する工程と、
請求項１記載の縁布部材１９を、畳表１２とともに畳床１１の他方側に固着する工程と、
前記縁布部材１９を第１、第２、第３の３つの折り目２１ａ、２１ｂ、２１ｃで折り込み、折り込まれた縁布部材１９の両端の巻き込み片２７を畳床１１の側面から下面に巻き込み、接着剤層２４をもって畳床１１の下面に接着して固定するとともに、縁布部材１９の巻き込みシート２３を畳床１１の側面から下面に巻き込み、接着剤層２４をもって畳床１１の下面に接着して固定する工程と
からなることを特徴とする畳の張替え方法。
【請求項６】
畳床１１の縁に合わせて請求項２記載の縁布部材付き畳表を被せ、畳床１１の両側に前記畳表１２の突出部分を巻き込み、接着剤層２４をもって畳床１１の下面に接着して固定する工程と、
前記畳表１２の畳床１１の縁に合わせた一方側において、前記畳表に取り付けられた縁布部材１９を、畳表１２とともに畳床１１に固着する工程と、
前記縁布部材１９の両端の巻き込みシート２３における畳表１２の両側の折込み線３３より外側を切り欠いて後方切り欠き部３１とするとともに、縁下シート２０の畳床１１の縁から突出した部分であって畳表１２の両側の折込み線３３より外側を３角形に切り欠いて前方切り欠き部３２を形成して巻き込み片２７とする工程と、
前記縁布部材１９を第１、第２、第３の３つの折り目２１ａ、２１ｂ、２１ｃで折り込み、折り込まれた縁布部材１９の両端の巻き込み片２７を畳床１１の側面から下面に巻き込み、接着剤層２４をもって畳床１１の下面に接着して固定するとともに、縁布部材１９の巻き込みシート２３を畳床１１の側面から下面に巻き込み、接着剤層２４をもって畳床１１の下面に接着して固定する工程と、
畳床１１の他方側における畳表１２の突出部分を切除する工程と、
請求項１記載の縁布部材１９を、畳表１２とともに畳床１１の他方側に固着する工程と、
前記縁布部材１９の両端の巻き込みシート２３における畳表１２の両側の折込み線３３より外側を切り欠いて後方切り欠き部３１とするとともに、縁下シート２０の畳床１１の縁から突出した部分であって畳表１２の両側の折込み線３３より外側を３角形に切り欠いて前方切り欠き部３２を形成して巻き込み片２７とする工程と、
前記縁布部材１９を第１、第２、第３の３つの折り目２１ａ、２１ｂ、２１ｃで折り込み、折り込まれた縁布部材１９の両端の巻き込み片２７を畳床１１の側面から下面に巻き込み、接着剤層２４をもって畳床１１の下面に接着して固定するとともに、縁布部材１９の巻き込みシート２３を畳床１１の側面から下面に巻き込み、接着剤層２４をもって畳床１１の下面に接着して固定する工程と
からなることを特徴とする畳の張替え方法。
【請求項７】
畳床１１における畳表１２の巻き込み接着、畳床１１における縁布部材１９の巻き込みシート２３の巻き込み接着、畳床１１における巻き込み片２７の巻き込み接着時に、それぞれタッカー針２５を畳床１１の側面に打ち込み固定するようにしたことを特徴とする請求項３、４、５又は６記載の畳の張替え方法。
【発明の詳細な説明】
【技術分野】
【０００１】
本発明は、主に、畳床から古い畳表を剥がして新たな畳表に張り替えるときに使用される縁布部材、縁布部材付き畳表及びこれらを用いた畳の張替え方法に関するものである。
【背景技術】
【０００２】
一般的な縁布付き畳１０は、図１２（ａ）（ｂ）に示すように、畳床１１の上に畳表１２を張り、畳表１２の両端部を框１７側で折り返して畳床１１の裏側に固定し、また、畳表１２を切り落とした上前１５側と下前１６側の部分には、縁布１３が取り付けられる。
このような畳１０を６畳間に敷き詰めた状態が図１１に示される。このように敷き詰めた畳１０において、縁布部材１９のある両縁部のうち、畳１０同士が接している側が上前１５であり、部屋の４隅の回り縁、敷居などに接する側が下前１６であり、畳表１２の折り返した側が框１７である。前記上前１５は、直線に作られるが、下前１６は、部屋の４隅の回り縁、敷居の曲がり、寸法誤差などの形状に合わせて隙間のないように作られる。
【０００３】
畳表１２を張り替える従来方法を図１２に基づき説明する。
（ａ）及び（ｂ）において、古い畳１０を作業台の上に裏返しにして載せ、縁布１３を固定していた畳糸１４と畳表１２の端を固定していた畳糸１４とを切り取る。
（ｃ）において、畳１０を表向きに反転し、縁布１３を外し、古くなった畳表１２を剥がす。
（ｄ）古くなった畳床１１の上に、新たな畳表１２又は古くなった畳表１２を裏返して畳表１２と畳床１１を上前１５側で一致させて被せる。
（ｅ）畳１０を表向きにしたまま畳表１２の一方の框１７側にイ草の織り目をあわせて複数本の縁引き３本針１８で仮押さえをし、また、畳表１２の他方側を引張りながら他方の框１７側にイ草の織り目をあわせて複数本の縁引き３本針１８で仮押さえをする。
（ｆ）畳１０を裏返して畳床１１の裏側で畳表１２を適当な長さに切断し、畳糸１４で縫い込み固定する。
（ｇ）畳１０を表向きにし、上前１５側に縁布１３を畳糸１４で縫い込み固定し、縁布１３の両端の框１７からはみ出ている部分を畳床１１の裏側に折り返して畳糸１４で縫い込み固定する。このとき、必要に応じて畳１０を裏返し反転する。
（ｈ）下前１６側から畳表１２のはみ出ている畳表の切落し部１２ａを切り落とす。
（ｉ）前記（ｇ）と同様、畳１０を表向きにし、下前１６側に縁布１３を畳糸１４で縫い込み固定し、縁布１３の両端の框１７からはみ出ている部分を畳床１１の裏側に折り返して畳糸１４で縫い込み固定する。このとき、必要に応じて畳１０を裏返し反転する。
【０００４】
図１２に示した従来の張替え方法では、畳表１２と縁布部材１９を畳糸１４で縫い込み固定したが、縁布をコ字形などのタッカー針を用いてエアタッカーで打ち込み固定する方法がある（特許文献１）。この方法は、縁布を縁下紙とともに畳表の縁部にあてがい、タッカー針をエアタッカーで打ち込み固定し、この縁布を畳床の端部側に折り返して畳床の端部にタッカー針をエアタッカーで打ち込み固定するようにした方法である。
【特許文献１】特開２０００−３４８２４号公報。
【発明の開示】
【発明が解決しようとする課題】
【０００５】
解決しようとする問題点は、図１２に示すように、畳糸１４で畳表１２や縁布１３を縫製する方法では、畳糸１４を畳針で縫製する作業が熟練者しかできず、また、２０数ｋｇの重量のある畳１０を裏返したり、表にしたりする回数が多すぎて作業効率が悪い、という点である。
また、タッカー針をエアタッカーで打ち込み固定する方法では、作業効率がある程度向上するが、畳床の端面や下面にタッカー針で固定された縁布の端がめくれ易くて醜いばかりか、めくれた部分から畳床を構成する藁がはみ出て作業中に指や手に刺さって怪我をするおそれがあった。
さらに、縁布の幅を広くして畳床の端面から藁などがはみ出さないようにすることもできるが、縁布は、高価であるから、畳を敷いたときに隠れてしまうようなところまで必要以上に幅を広くすることは望ましいことではない。
【０００６】
本発明は、安価な縁布部材を提供するとともに、この縁布部材を使用した畳表の張替え作業が、未経験者でも簡単に、効率よくできる方法を提供することを目的とする。
【課題を解決するための手段】
【０００７】
本発明による縁布部材１９は、縁布１３、縁下シート２０、巻き込みシート２３及び接着剤層２４からなり、前記縁布１３は、幅方向の両側に畳縁の縁幅ｎより小さな縫代１３ｂを有し、前記縁下シート２０は、縁幅ｎの間隔で第１、第２、第３の３つの折り目２１ａ、２１ｂ、２１ｃを有し、前記巻き込みシート２３は、畳床１１の裏面まで巻き込む幅を有し、かつ、裏面に臨ませた内側に接着剤層２４を設け、前記第２の折り目２１ｂと第３の折り目２１ｃの間の表側に前記縁布１３を重ね、第２の折り目２１ｂの近くで縁布１３の縫代１３ｂと縁下シート２０とを一体に結合し、前記第３の折り目２１ｃの近くで縁布１３の縫代１３ｂと巻き込みシート２３と縁下シート２０とを一体に結合したことを特徴とするものである。
【０００８】
本発明による縁布部材付き畳表は、縁布１３、縁下シート２０、巻き込みシート２３及び接着剤層２４からなる縁布部材１９と、この縁布部材１９を取り付ける畳表１２とを具備し、前記縁布１３は、幅方向の両側に畳縁の縁幅ｎより小さな縫代１３ｂを有し、前記縁下シート２０は、縁幅ｎの間隔で第１、第２、第３の３つの折り目２１ａ、２１ｂ、２１ｃを有し、前記巻き込みシート２３は、畳床１１の裏面まで巻き込む幅を有し、かつ、裏面に臨ませた内側に接着剤層２４を設け、前記第２の折り目２１ｂと第３の折り目２１ｃの間の表側に前記縁布１３を重ね、前記第３の折り目２１ｃの近くで縁布１３の縫代１３ｂと縁下シート２０とに前記巻き込みシート２３の端部を重ね合わせて一体に結合し、前記第１の折り目２１ａを前記畳表１２の上前１５に合わせつつ、縁下シート２０の裏側が上になるようにして第２の折り目２１ｂの近くで縁布１３の縫代１３ｂと縁下シート２０とを一体に畳表１２に一体に結合したことを特徴とするものである。
【０００９】
本発明による縁布部材１９を用いて畳の張替えを行なう方法は、
畳床１１の縁に合わせて畳表１２を被せ、畳床１１の両側に前記畳表１２の突出部分を巻き込み、接着剤層２４をもって畳床１１の下面に接着して固定する工程と、
前記畳表１２の畳床１１の縁に合わせた一方側において、請求項１記載の縁布部材１９を、畳表１２とともに畳床１１に固着し、この縁布部材１９を第１、第２、第３の３つの折り目２１ａ、２１ｂ、２１ｃで折り込み、折り込まれた縁布部材１９の両端の巻き込み片２７を畳床１１の側面から下面に巻き込み、接着剤層２４をもって畳床１１の下面に接着して固定するとともに、縁布部材１９の巻き込みシート２３を畳床１１の側面から下面に巻き込み、接着剤層２４をもって畳床１１の下面に接着して固定する工程と、
畳床１１の他方側における畳表１２の突出部分を切除する工程と、
前記縁布部材１９と同一の縁布部材１９を、畳表１２とともに畳床１１に固着し、この縁布部材１９を第１、第２、第３の３つの折り目２１ａ、２１ｂ、２１ｃで折り込み、折り込まれた縁布部材１９の両端の巻き込み片２７を畳床１１の側面から下面に巻き込み、接着剤層２４をもって畳床１１の下面に接着して固定するとともに、縁布部材１９の巻き込みシート２３を畳床１１の側面から下面に巻き込み、接着剤層２４をもって畳床１１の下面に接着して固定する工程と
からなる。
【００１０】
縁布部材付き畳表を用いて畳の張替えを行なう方法は、
畳床１１の縁に合わせて請求項２記載の縁布部材付き畳表を被せ、畳床１１の両側に前記畳表１２の突出部分を巻き込み、接着剤層２４をもって畳床１１の下面に接着して固定する工程と、
前記畳表１２の畳床１１の縁に合わせた一方側において、前記畳表に取り付けられた縁布部材１９を、畳表１２とともに畳床１１に固着し、この縁布部材１９を第１、第２、第３の３つの折り目２１ａ、２１ｂ、２１ｃで折り込み、折り込まれた縁布部材１９の両端の巻き込み片２７を畳床１１の側面から下面に巻き込み、接着剤層２４をもって畳床１１の下面に接着して固定するとともに、縁布部材１９の巻き込みシート２３を畳床１１の側面から下面に巻き込み、接着剤層２４をもって畳床１１の下面に接着して固定する工程と、
畳床１１の他方側における畳表１２の突出部分を切除する工程と、
請求項１記載の縁布部材１９を、畳表１２とともに畳床１１の他方側に固着し、この縁布部材１９を第１、第２、第３の３つの折り目２１ａ、２１ｂ、２１ｃで折り込み、折り込まれた縁布部材１９の両端の巻き込み片２７を畳床１１の側面から下面に巻き込み、接着剤層２４をもって畳床１１の下面に接着して固定するとともに、縁布部材１９の巻き込みシート２３を畳床１１の側面から下面に巻き込み、接着剤層２４をもって畳床１１の下面に接着して固定する工程と
からなる。
【００１１】
畳床１１における畳表１２の巻き込み接着、畳床１１における縁布部材１９の巻き込みシート２３の巻き込み接着、畳床１１における巻き込み片２７の巻き込み接着時に、それぞれタッカー針２５を畳床１１の側面に打ち込み固定することにより、より確実に畳表１２を取り付けできる。
【発明の効果】
【００１２】
請求項１記載の縁布部材は、上述のように構成したので、縁布１３は、両側に縫代１３ｂ分だけ幅を広げればよく、必要最小限の幅で構成でき、また、広幅の巻き込みシート２３は、畳を敷いた後では見えなくなるので、安価な材料を使用でき、安価で安全な縁布部材を提供できる。
【００１３】
請求項２記載の縁布部材付き畳表は、上述のように構成したので、縁布部材１９を畳表１２に取り付ける作業が畳の張替え現場で行なう必要がなく、作業性が向上するとともに、畳表１２に取付けられた縁布部材１９の見栄えがよい。また、この縁布部材１９を取り付けた畳表の搬送時には、畳表１２をイ草の目折り目に従って丸めておけばよく、縁布部材１９の汚れ、傷つきなどから保護できる。
【００１４】
本発明による請求項３記載の畳の張替え方法によれば、古い縁布を取り除いた後は、畳を裏返すことなく全て表にして張替え作業ができる。また、広幅の巻き込みシート２３で畳床の端面や下面を確実に覆うことができ、見た目もすぐれ、畳床を構成する藁がはみ出て作業中に指や手に刺さって怪我をするおそれがない。また、広幅の巻き込みシート２３は、安価なものが使用できる。
したがって、従来の畳糸で畳表や縁布を縫製する方法では、畳糸を畳針で縫製する作業が熟練者しかできず、また、２０数ｋｇの重量のある畳を裏返したり、表にしたりする回数が多すぎて作業効率が悪い、という問題点を解決できる。
【００１５】
請求項４記載の畳の張替え方法によれば、巻き込み片２７は、縁布部材１９の両端の巻き込みシート２３における畳表１２の両側の折込み線３３より外側を切り欠いて後方切り欠き部３１とするとともに、縁下シート２０の畳床１１の縁から突出した部分であって畳表１２の両側の折込み線３３より外側を３角形に切り欠いて前方切り欠き部３２を形成したので、この巻き込み片２７における処理が未経験者でも簡単に、かつ、見た目にすぐれたものを得ることができる。
【００１６】
請求項５記載の畳の張替え方法によれば、畳表１２における上前１５側への縁布部材１９の取付けは、縁布部材１９を畳表１２に予め一体に縫いこみ固着したものを使用するようにしたので、縁布部材１９を畳表１２に取り付ける作業が畳の張替え現場で行なう必要がなく、作業性が向上するとともに、縁布部材１９が予め畳表１２に取付けられているため、張替え後の畳の見栄えがよい。
【００１７】
請求項６記載の畳の張替え方法によれば、縁布部材１９の両端の巻き込みシート２３における畳表１２の両側の折込み線３３より外側を切り欠いて後方切り欠き部３１とするとともに、縁下シート２０の畳床１１の縁から突出した部分であって畳表１２の両側の折込み線３３より外側を３角形に切り欠いて前方切り欠き部３２を形成して巻き込み片２７としたので、この巻き込み片２７における処理が簡単で見た目にすぐれたものを得ることができる。
【００１８】
請求項７記載の畳の張替え方法によれば、畳床１１における畳表１２の巻き込み接着、畳床１１における縁布部材１９の巻き込みシート２３の巻き込み接着、畳床１１における巻き込み片２７の巻き込み接着時に、それぞれタッカー針２５を畳床１１の側面に打ち込み固定するようにしたので、畳床１１における框１７側への畳表１２の巻き込み接着、畳床１１における上前１５側への縁布部材１９の巻き込みシート２３の巻き込み接着、畳床１１における下前１６側への縁布部材１９の巻き込みシート２３の巻き込み接着時に、それぞれタッカー針２５を畳床１１の側面に打ち込み固定するようにしたので、畳表１２や縁布部材１９の取付け時にしわがよることがなく、また、取付けがより確実になる。
【発明を実施するための最良の形態】
【００１９】
本発明における縁布部材１９は、縁布１３、縁下シート２０、巻き込みシート２３及び接着剤層２４からなる。前記縁布１３は、その両側に畳１０の表に露出する縁幅ｎより小さな幅の縫代１３ｂを有する。前記縁下シート２０は、縁幅ｎの間隔で谷折り目２１ａ、第１の山折り目２１ｂ、第２の山折り目２１ｃを有する。前記巻き込みシート２３は、畳床１１の下面まで巻き込む幅を有し、かつ、下面に臨ませた内側に接着剤層２４を設ける。前記第１の山折り目２１ｂと第２の山折り目２１ｃの間の外側に前記縁布１３を重ね、第１の山折り目２１ｂの近くで縁布１３の縫代１３ｂと縁下シート２０とを畳糸２２で縫い合わせて一体に結合し、前記第２の山折り目２１ｃの近くで縁布１３の縫代１３ｂと巻き込みシート２３と縁下シート２０とを畳糸２２で縫い合わせて一体に結合して構成する。
【００２０】
前記縁布部材１９は、予め畳表１２の上前１５側に工場等で縫い込んでおくこともできる。このようにすれば、畳の張替え作業性が向上するとともに、張替え後の出来ばえもよくなり、さらに、畳張替えの未経験者にも容易に可能となる。
【００２１】
畳の張替え方法は、縁布部材１９を畳表１２に縫い込まない独立したものを用いる場合には、畳床１１に畳表１２を被せて両側の突出部分を巻き込み接着剤層２４で畳床１１の下面に接着して固定する工程と、前記畳表１２の上前１５側に縁布部材１９を接着剤層２４で畳床１１の下面に接着して固定する工程と、畳床１１の下前１６側に縁布部材１９を接着剤層２４で畳床１１の下面に接着して固定する工程とからなる。
【００２２】
畳の張替え方法は、縁布部材１９を畳表１２に縫いこんだものを用いる場合には、畳床１１の上に縁布部材１９付きの畳表１２を被せて両側の突出部分を巻き込み接着剤層２４で畳床１１の下面に接着して固定する工程と、前記畳表１２の上前１５側において縁布部材１９を接着剤層２４で畳床１１の下面に接着して固定する工程と、畳床１１の下前１６側に縁布部材１９を接着剤層２４で畳床１１の下面に接着して固定する工程とからなる。
【００２３】
畳の張替え時に、畳床１１における框１７側への畳表１２の巻き込み接着、畳床１１における上前１５側への縁布部材１９の巻き込みシート２３の巻き込み接着、畳床１１における下前１６側への縁布部材１９の巻き込みシート２３の巻き込み接着時に、それぞれタッカー針２５を畳床１１の側面に打ち込み固定することで、畳表１２や縁布部材１９にしわがよらずに、きれいな出来ばえとなる。
【実施例１】
【００２４】
図１は、本発明の縁布部材１９を取り付けた畳表１２の平面図、図２は、同じく側面から見た拡大図である。
これらの図１及び図２において、前記縁布部材１９は、縁布１３と縁下シート２０と巻き込みシート２３と接着剤層２４とで構成されている。この縁布部材１９の長さは、畳床１１の長さｍ（例えば１８００ｍｍ）に、左右の折込部分として畳床の厚さと下面への巻き込み分（例えばそれぞれ１００ｍｍ）を加算した長さ（例えば２０００ｍｍ）とする。
前記縁布１３は、化粧用で、擦り切れにくい高価な布地からなるので、その幅は、畳１０の表に露出する縁幅ｎ（例えば２５ｍｍ）に、この縁幅ｎより幅の狭い両側の縫代１３ｂ（例えばそれぞれ５〜１０ｍｍ）を加算した約３５〜４５ｍｍとすることで、縁布１３の幅を必要最小限としている。
前記縁下シート２０は、縁布１３にしわがよったり、型崩れしたりしないようにするための硬質の紙や薄いプラスチックなどからなり、縁幅ｎと略等しい３本の折り目２１、即ち、縁布１３側から見て谷折り目２１ａ、第１の山折り目２１ｂ、第２の山折り目２１ｃが形成されている。
前記巻き込みシート２３は、安価でありながら丈夫で、柔らかめの不織布、織布、薄いゴム板、紙、プラスチックシートなどからなり、その幅は、畳床の厚さと下面への巻き込み分（例えば８０〜１００ｍｍ）を有する。この巻き込みシート２３の一方側面の内側には、幅が２５〜３０ｍｍのゴム系などの接着剤層２４が塗布され、外面は剥離紙で保護されている。
【００２５】
以上のように構成された縁下シート２０の第１の山折り目２１ｂと第２の山折り目２１ｃの外側に縁布１３をあてがい、縁下シート２０の谷折り目２１ａを畳表１２の上前１５に一致させて第１の山折り目２１ｂから１〜２ｍｍ内側の縫代１３ｂの部分を畳糸２２で一体に縫いこんで一体に結合する。また、巻き込みシート２３の他方縁部を縁下シート２０と縁布１３の縫代１３ｂに重ね合わせて、第２の山折り目２１ｃから数ｍｍ離れた縫代１３ｂ部分を畳糸２２により一体に縫いこんで一体に結合する。またこれらの畳糸２２による縫い込み長さは、前記畳床１１の長さｍ（例えば１８００ｍｍ）か、それよりやや短くする。
【００２６】
畳１０の下前１６側に使用するための縁布部材１９は、図３に示すように、畳表１２に縫いこまない独立したものが用いられる。その他の構成は、図２に示したものと変わるところはない。
【００２７】
次に畳の張替え工程を説明する。
畳床１１の上前１５は、図２に示す縁布部材１９を取り付けた畳表１２を用い、下前１６は、図３に示す縁布部材１９を用いるものとする。
図４において、縁部に縁布部材１９を予め縫い合わせた図２に示す畳表１２は、畳床１１の表側の上前１５側に一致するように載せられ、数個所にタッカー針２５をエアタッカーにて打ち込んで仮押えをする。畳表１２は、その左右の畳床１１の框１７側から８０〜１００ｍｍ突出部分で裁断される。
図５において、畳床１１を表にしたまま、接着剤層２４を貼着した畳表１２の一方端をイ草の織り目を畳床１１の角に合わせて畳床１１の框１７から下面に巻き込み、接着剤層２４の剥離紙を剥がして畳床１１の下面に貼着固定する。固定する前又は後に、必要に応じて畳床１１の端面の数個所を縁引き針１８で仮押さえをするとともに、タッカー針２５をエアタッカーにて打ち込む。
畳床１１の一方側の框１７側に畳表１２を固定した後、畳表１２の他方端を手又は専用の機械で強く引張りながらイ草の織り目を畳床１１の角に合わせて畳床１１の框１７から下面に巻き込み、必要に応じて畳床１１の端面の数個所を縁引き針１８で仮押さえをするとともに、タッカー針２５をエアタッカーにて打ち込んで仮押えし、接着剤層２４の剥離紙を剥がして畳床１１の下面に貼着固定する。
畳表１２の両側を接着剤層２４で畳床１１の裏面に貼着した後、又は貼着する前に、図４に示すように、縁布部材１９の両端の巻き込みシート２３における畳表１２の両側の折込み線３３より外側を切り欠いて後方切り欠き部３１とするとともに、縁下シート２０の畳床１１の縁から突出した部分であって畳表１２の両側の折込み線３３より外側を３角形に切り欠いて前方切り欠き部３２を形成して巻き込み片２７を形成する。
図６は、畳床１１の両側の框１７側に畳表１２を固定した状態の側面図である。
【００２８】
図７において、畳床１１の両側に畳表１２の両側をそれぞれ固定した後、上前１５側の縁布部材１９における縁下シート２０の位置合せ片２０ａを折り目２１ｃが畳床１１の角に一致させて端面に垂下しつつ、図８に示すように、巻き込みシート２３を畳床１１の端面に垂下し、畳床１１の端面の数個所にタッカー針２５をエアタッカーにて打ち込む。
両側の框１７からはみ出ている縁布部材１９の巻き込み片２７は、縁布１３で縁下シート２０が包み込まれる。この巻き込み片２７における縁布１３の前面の縫代１３ｂの部分を、見た目よく巻き込むため、畳床１１の端面で折込み線３３をつけながら畳床１１に巻き込む。
下面に巻き込んだ後、縁布部材１９の接着剤層２４の剥離紙を剥がして畳床１１の下面に接着し巻き込み片２７を固定する。固定する前又は後に、必要に応じて畳床１１の端面の数個所にタッカー針２５をエアタッカーにて打ち込む。
両側の巻き込み片２７を畳床１１の下面に巻き込み固定した後、巻き込みシート２３を畳床１１の端面から下面に巻き込み、接着剤層２４の剥離紙を剥がして畳床１１の下面に接着し固定する。このとき、巻き込み片２７の下面の巻き込み部分をも包み込んで固定する。
【００２９】
図９において、畳床１１の下前１６側からはみ出た畳表１２を切り取る。１２ａは、畳表の切落し部である。畳表１２の切落し部１２ａを切り取った後、図３に示した縁布部材１９の縁下シート２０の谷折り目２１ａを下前１６の角に合わせて位置合せ片２０ａを垂下し、図７と同様に第１の山折り目２１ｂのやや内側に一定間隔でタッカー針２５を打ち込み縁布部材１９を取り付ける。
両側の巻き込み片２７を畳床１１の下面に巻き込み固定した後、巻き込みシート２３を畳床１１の端面から下面に巻き込み、接着剤層２４の剥離紙を剥がして畳床１１の下面に接着し固定する方法は、前述の説明と同様である。
【００３０】
このように、古い畳表１２を剥がすとき以外の図４、図５、図６、図７、図８に示した本発明の縁布部材１９及びこの縁布部材１９を取り付けた畳表１２を用いた畳の張替え方法では、新たな畳表１２の張替え工程は、全て畳床１１を表にして行なうことができるので、作業性にすぐれ、しかも、畳表１２に傷つけたりすることなくきれいに仕上げることができる。また、畳張替えの未経験者でも簡単に張替えができる。
【実施例２】
【００３１】
前記実施例では、上前１５側では、図２に示すような縁布部材付き畳表を使用した。しかし、これに限られるものではなく、上前１５側にも図３に示すような畳表１２とは独立した縁布部材１９を用いることができる。この場合、畳表１２の張替え工程は、畳１０の下前１６側と同様、畳床１１に畳表１２の両側を固定してから縁布部材１９をあてがいタッカー針２５で畳表１２と畳床１１に固定し、次いで巻き込みシート２３を巻き込み接着剤層２４で接着する。
【実施例３】
【００３２】
前記実施例では、畳床１１の上に畳表１２を直接張り付けたが、図１０に示すように、畳床１１と畳表１２との間に積層シート２８を積層してもよい。この積層シート２８は、上下の不織布３０の間に竹炭層２９を積層したもので、厚さは、１〜２ｍｍ程度である。竹炭層２９は、不織布３０に直接吹き付けたものであってもよい。
このような積層シート２８を積層することで、脱臭効果、かびの発生防止、健康に良好なマイナスイオンの発生などが期待できる。
【図面の簡単な説明】
【００３３】
【図１】本発明による縁布部材１９付き畳表１２を用いた畳の張替え方法の一実施例を示す平面図である。
【図２】本発明による縁布部材１９付き畳表１２の一実施例を示す図１の拡大側面図である。
【図３】本発明による縁布部材１９の一実施例を示す拡大側面図である。
【図４】本発明による縁布部材１９付き畳表１２を畳床１１に重ね合わせ、畳表１２を巻き込んだ状態の平面図である。
【図５】図４において、縁布部材１９付き畳表１２を畳床１１に重ね合わせ、畳表１２を巻き込む過程を示す正面図である。
【図６】本発明による縁布部材１９付き畳表１２を畳床１１に重ね合わせ、畳表１２を巻き込んだ状態の側面図である。
【図７】本発明の縁布部材１９の両端に巻き込み片２７を形成した状態の斜視図である。
【図８】図７において、本発明の縁布部材１９の両端に巻き込み片２７を畳床１１に巻き込む前の斜視図である。
【図９】図３に示す本発明による縁布部材１９を用いた畳の張替え方法の作業工程の一部を示すもので、（ａ）は、畳表１２の突出部分を切除し、縁布部材１９を畳床１１に取り付けた側面図、（ｂ）は、縁布部材１９を畳床１１に巻き込み接着した状態の側面図である。
【図１０】畳床１１と畳表１２との間に積層シート２８を積層した他の実施例の正面図である。
【図１１】６畳間の一般的な畳１０の配置を示す平面図である。
【図１２】従来の畳の張替え方法の作業工程を示す説明図である。
【符号の説明】
【００３４】
１０…畳、１１…畳床、１２…畳表、１３…縁布、１４…畳糸、１５…上前、１６…下前、１７…框、１８…縁引き３本針、１９…縁布部材、２０…縁下シート、２１…折り目、２２…畳糸、２３…巻き込みシート、２４…接着剤層、２５…タッカー針、２６…切り取り線、２７…巻き込み片、２８…積層シート、２９…竹炭層、３０…不織布。
【図１】
0004553830.tif 000002
【図２】
0004553830.tif 000003
【図３】
0004553830.tif 000004
【図４】
0004553830.tif 000005
【図５】
0004553830.tif 000006
【図６】
0004553830.tif 000007
【図７】
0004553830.tif 000008
【図８】
0004553830.tif 000009
【図９】
0004553830.tif 000010
【図１０】
0004553830.tif 000011
【図１１】
0004553830.tif 000012
【図１２】
0004553830.tif 000013